(57)【要約】      （修正有）【課題】一切の燃料を必要とせず天候にも左右される事無く一定の条件もなく設置することが出来る発電装置の提供。【解決手段】円形状の外周を持ち、抵抗なく滑らかな回転が出来るように取り付けた遠心力回転盤１とモーター４、発電モーター２、バッテリー３を有し、バッテリー３の電源でモーター４を回して遠心力回転盤１を回し、さらに発電モーター２を回して発電をうながす。さらに回転補助装置を複数均等に取り付けることで発電モーター２のトルクをクリアする効果が高まる。発電モーター２も稼働を続けるためにバッテリー３等外部よりの通電を切り替えスイッチで瞬時に切り替えることで、発電モーター２からの電気を電源としてモーター４を稼働させ遠心力回転盤１を回し続けて発電モーター２を稼働することができる。【選択図】図１
2018078780.tif 000002
【特許請求の範囲】
【請求項１】
円形状の外周を持ち、抵抗なく滑らかな回転が出来るように設置した回転盤と、モーター、発電モーター、バッテリーを有し、モーターの回転力で回転盤を勢いよく回転させるで、モーターのトルクに加えて回転盤の遠心力との相乗効果により、発電モーターの発電時における回転の抵抗をクリアして発電モーターを力強く稼働させ、発電することを特徴とするモーターの回転力と回転盤の遠心力を利用した遠心力発電装置。
【請求項２】
請求項１記載の、勢いよく回転する遠心力回転盤は、モーターの電源を一時的に切っても遠心力による惰力回転により回転の勢いを緩めることなく回転を続け、発電モーターもまわり続けて発電し続けるためにバッテリー等外部よりの通電を、切り替えスイッチで瞬時に発電モーターからの通電に切り替えることで、発電モーターからの電気を電源としてモーターを稼働させ回転盤を回し続けて、発電モーターを稼働する遠心力発電装置。
【請求項３】
請求項１記載の、回転盤が勢いよく回転するにつれ円内に置かれた物が円外へ飛び出そうとする性質を利用して回転につなげる回転補助装置を回転盤に設置する事で、遠心力の回転により効果をもたらす、勢いよく回転するにともない円内に置かれた物体が円外へ飛び出そうと移動する力、圧縮の力をスプリングを通じて回転方向に向ける事で、モーターの回転力と遠心力回転盤の遠心力との相乗効果に加えて、回転補助装置による補助効果で発電機をさらに効果的に回転させる遠心力発電装置。
【発明の詳細な説明】
【技術分野】
【０００１】  本考案は、円形状の外周を持ち、抵抗なく滑らかな回転が出来るように取り付けた回転盤とモーター、発電モーター、バッテリーを有し回転盤と発電モーターの間にブーリー又は歯車を取り付けて連結、その際ブーリー、歯車の径の大小を組み合わせる事で発電機の回転数を定め必要な発電量を確保する、バッテリーの電源でモーターを回して回転盤を回しさらに発電モーターを回して発電をうながす、その際モーターのトルクを上回る発電機の抵抗をクリアするために回転盤の外周部分に重金属などの重いものを用いて、中心に沿った部分、芯の部分を軽くすることで回転盤の遠心力を高め、モーターの回転力と勢いよく回転する回転盤の回転力との相乗効果により、発電モーターの発電時における抵抗を上回る力で発電モーターを稼働することが出来る。【０００２】  回転する輪の中に物を置けば輪の外に弾き出そうとする力が働く、勢いよく回転する輪の中心部分に置かれた物体が勢いよく輪の外へ飛び出す力を利用して、回転盤の回転力を補助して遠心力の効果を高めるもので、重みのある筒状の金属の先端にワイヤを取り付けそのワイヤの先にスプリングを付けてそれぞれを筒状の中に収め、筒の中の金属が移動することでワイヤを通じてスプリングが圧縮するようにしたもので、重い金属を入れた筒を回転盤の中心部分から外周部に向けて固定し、ワイヤを収めたカバーを外周に沿って這わせ、ワイヤにつながるスプリングを収めた筒を外周部分に固定したものを回転盤に複数均等に配置することで、回転盤が勢いよく回転するに従い筒状の重い金属は円の外側に飛び出そうと移動し、ワイヤを通してスプリングを限界まで押してなお押し続けることで、効果を高める事が出来る。【０００３】  バッテリーを電源としてモーターを稼働し、回転盤を勢いよく回転させることでモーターと回転盤の遠心力の相乗効果で発電モーターを回して発電する、さらに回転盤に補助装置を複数均等に設置することで回転盤の回転力を高め、発電モーターの発電量に応じて発生するトルクを上回る力で、発電モーターを回して発電量を確保するものである。【０００４】従来の発電システムには石油などの消費燃料を使うもの、風力や水力、又太陽熱を利用して発電するものがある。
【先行技術文献】
【特許文献】
【０００５】
【特許文献１】
【０００６】
【非特許文献１】
【０００７】
【発明の概要】
【発明が解決しようする課題】
【０００８】  火力で発電するには石油などの消費燃料を必要とし排気ガス等公害を生む、また原子力においては大きく発電するに画期的なものであるが不安材料が山積みである、水力は水の力を得るには一定の条件が整う必要があり、風力においては風の無い時には発電が出来ず太陽熱発電は夜は発電ができない、本考案はモーターの力と遠心力を利用した回転力で発電モーターを回し効率よく発電するものである。
【課題を解決するための手段】
【０００９】  抵抗なく滑らかに回転する円形状の外周をした回転盤に、回転する円の中に有る物体が円外へ出ようとする性質を利用した回転補助装置を取付けた回転盤と、モーター、発電モーター、バッテリーを有しモーターと回転盤、回転盤と発電モーターをブーリー、ベルトまたは歯車で連結、その際ブーリー、歯車の径の大小を組み合わせる事で発電機の一分間の回転数を設定して発電量を確保出来るようにして取り付けて、バッテリーの電源でモーターを稼働して回転盤を回す、回転盤が勢いよく回転することで遠心力を持ち惰力回転をしようとする力が働く、回転盤の遠心力と回転補助装置の補助作用による回転力の補助、モーターとの相乗効果で発電モーターを回して発電することが出来る。
【発明の効果】
【００１０】  本考案は一切の燃料を使わず何処でも設置可能であり、一般住宅、コンビニ、、スーパー、工場、病院等の施設に設置すれば経済的である。災害による被災地の簡易発電機とすることも可能であり、安全面で祭り等の仮設店舗などの照明に利用する事も考えられ、又、本考案の発電のシステムをさらに進化させることにより、船舶の動力、地域別小規模発電所の設置なども可能となり、エネルギー問題の緩和、原子力に頼らず二酸化炭素の大幅削減につなげることができる。
【図面の簡単な説明】
【００１１】
【図１】  １  実施例を示した遠心力発電装置の「立面図」  ２  「平面断面図」
【図２】  １  配線図  ２  配線図
【図３】  １  実施例を示した回転補助装置の「詳細図」
【発明を実施するための形態】
【０００１２】
【実施例１】
【０００１３】［図１］  １実施例を示した「側面図」２「平面の断面図」「図２」の配線図１、２に基づいて説明する。
１遠心力回転盤の中心に８芯棒を付け８心棒を軸に回転するように９ベアリングを付けて固定し１遠心力回転盤が抵抗なくスムーズに回転できるようにして、４モーターと１遠心力回転盤、また１遠心力回転盤と２発電モーターをそれぞれ６ブーリー７ベルト或いは歯車で連結して４モーターの回転で１遠心力回転盤と２発電モーターが同時に回転するように取り付け、３バッテリーを電源として４モーターを稼働、それに連結された１遠心力回転盤も同時に回転、また同時に２発電モーターも回転を始める。
【実施例２】
【００１４】［図２］  １「配線図」に基づいて説明する。
３バッテリーを電源として４モーターを稼働、１遠心力回転盤を通じて２発電モーターを回して発電した交流電気を５コンバーターを通して直流電気に変換してバッテリーに充電するとともに１０コンセントより外部へ通電する。
【実施例３】
【００１５】  ２「配線図」に基づいて説明する。
１９外部プラグよりの電源を１１切り替えスイッチを外部電源モーター間側に入れて４モーターを稼働、１遠心力回転盤を通じて２発電モーターを回して発電、１１切り替えスイッチを発電モーターモーター間側に切り替えることで、１９外部電源４モーター間の通電を遮断し２発電モータ４ーモーター間の通電が始まり４モーターは一時的に電気の供給を遮断されることになるが、１遠心力回転盤は回転力を弱めることなく回転を続ける事で２発電モーターは変わることなく回転を続け、発電が続くことで４モーターを瞬時に稼働することが出来る。
【実施例４】
【００１６】［図３］  回転補助装置の「詳細図」に基づいて説明する。
１３円筒型重金属を筒の中をスライドできるように１６重金属スライド筒の中に収め、１３重金属の先端に１５ワイヤをつけて１６重金属スライド筒の先端に１５ワイヤを収めた１７ワイヤカバーを取り付けて、１５ワイヤの一方の先端を１８スプリング収納筒に収めた１４スプリングが収縮できるようにして繋ぎ、１３円筒型重金属を収めた１６重金属スライド筒を１回転盤の芯寄りの部分から外周部分に向けて取り付け１５ワイヤの入った１７ワイヤカバーを１回転盤の外周に沿って這わせるように付け、１４スプリングを収めた１８スプリング収納筒を取り付けたもので、１回転盤が回転することにより１６筒の中の１３円筒型重金属円が１回転盤の外側に向かって移動を始め、１５ワイヤを押し上げて１４スプリングを圧縮さらに、１回転盤が勢いよく回転することで１４スプリングは限界まで圧縮され、１４スプリングの復元力と１４スプリングを限界まで押し上げてもなお１４重金属は円の外に飛び出そうとなお１２ワイヤを押し限界まで縮んだ１４スプリングを押し続けることで、回転のトルクを得ることが出来る。
【産業上の利用可能性】
【００１７】  本考案を使用する事により、一切の燃料を使わず経済的に電気を供給する事ができ、一般住宅、コンビニ、、スーパー、工場、病院等の施設に設置すれば経済的である、何処でも設置可能であり、災害による被災地の簡易発電機とすることも出来、また安全面で祭り等の仮設店舗などの照明に利用する事もできる、又船舶の動力、潜水艦に用いれば二酸化炭素の排出が無いため原子力潜水艦なみに長期潜水が可能になる、さらに地域別小規模発電所の設置なども可能となり、エネルギー問題の緩和、原子力に頼らず二酸化炭素の大幅な削減につなげることができる。
【符号の説明】
【００１８】  １．遠心力回転盤                ２．発電モーター
３．バッテリー                  ４．モーター
５．コンバーター                ６．ブーリー
７．ベルト                      ８．心棒
９．ベアリング                １０．コンセント
１１．外部電源モーター間、発電モーターモーター間、切り替えスイッチ
１２．コンセントスイッチ        １３．円筒形押し上げ重金属
１４．スプリング                １５．ワイヤ
１３．スプリング                １６．重金属スライド筒
１７．  ワイヤカバー            １８．スプリクグ収納筒
１９．外部プラグ
2018078780.tif 000003
【図３】
2018078780.tif 000004
【手続補正書】
【提出日】平成28年12月22日(2016.12.22)
【手続補正１】
【補正対象書類名】明細書
【補正対象項目名】全文
【補正方法】変更
【補正の内容】
【発明の詳細な説明】
【技術分野】
【０００１】本発明は、円形状の外周を持ち、抵抗なく滑らかな回転が出来るように取り付けた回転盤とモーター、発電モーター、バッテリーを有し回転盤と発電モーターの間にブーリー又は歯車を取り付けて連結、その際ブーリー、歯車の径の大小を組み合わせる事で発電機の回転数を定め必要な発電量を確保する、バッテリーの電源でモーターを回して回転盤を回しさらに発電モーターを回して発電をうながす、その際モーターのトルクを上回る発電機の抵抗をクリアするために回転盤の外周部分に重金属などの重いものを用いて、中心に沿った部分、芯の部分を軽くすることで回転盤の遠心力を高め、モーターの回転力と勢いよく回転する回転盤の回転力との相乗効果により、発電モーターの発電時における抵抗を上回る力で発電モーターを稼働することが出来る。【０００２】  回転する輪の中に物を置けば輪の外に弾き出そうとする力が働く、勢いよく回転する輪の中心部分に置かれた物体が勢いよく輪の外へ飛び出す力を利用して、回転盤の回転力を補助して遠心力の効果を高めるもので、重みのある筒状の金属の先端にワイヤを取り付けそのワイヤの先にスプリングを付けてそれぞれを筒状の中に収め、筒の中の金属が移動することでワイヤを通じてスプリングが圧縮するようにしたもので、重い金属を入れた筒を回転盤の中心部分から外周部に向けて固定し、ワイヤを収めたカバーを外周に沿って這わせ、ワイヤにつながるスプリングを収めた筒を外周部分に固定したものを回転盤に複数均等に配置することで、回転盤が勢いよく回転するに従い筒状の重い金属は円の外側に飛び出そうと移動し、ワイヤを通してスプリングを限界まで押してなお押し続けることで、効果を高める事が出来る。【０００３】  バッテリーを電源としてモーターを稼働し、回転盤を勢いよく回転させることでモーターと回転盤の遠心力の相乗効果で発電モーターを回して発電する、さらに回転盤に補助装置を複数均等に設置することで回転盤の回転力を高め、発電モーターの発電量に応じてて発生するトルクを上回る力で、発電モーターを回して発電量を確保するものである。
【背景技術】
【０００４】従来の発電システムには石油などの消費燃料を使うもの、風力や水力、又太陽熱を利用して発電するものがある。
【特許文献】
【０００５】
【非特許文献１】
【０００７】
【発明の概要】
【発明が解決しようする課題】
【０００８】  火力で発電するには石油などの消費燃料を必要とし排気ガス等公害を生む、また原子力においては大きく発電するに画期的なものであるが不安材料が山積みである、水力は水の力を得るには一定の条件が整う必要があり、風力においては風の無い時には発電が出来ず太陽熱発電は夜は発電ができない、本発明はモーターの力と遠心力を利用した回転力で発電モーターを回し効率よく発電するものである。
【課題を解決するための手段】
【０００９】  抵抗なく滑らかに回転する円形状の外周をした回転盤に、回転する円の中に有る物体が円外へ出ようとする性質を利用した回転補助装置を取付けた回転盤と、モーター、発電モーター、バッテリーを有しモーターと回転盤、回転盤と発電モーターをブーリー、ベルトまたは歯車で連結、その際ブーリー、歯車の径の大小を組み合わせる事で発電機の一分間の回転数を設定して発電量を確保出来るようにして取り付けて、バッテリーの電源でモーターを稼働して回転盤を回す、回転盤が勢いよく回転することで遠心力を持ち惰力回転をしようとする力が働く、回転盤の遠心力と回転補助装置の補助作用による回転力の補助、モーターとの相乗効果で発電モーターを回して発電することが出来る。
【発明の効果】
【００１０】本発明は一切の燃料を使わず何処でも設置可能であり、一般住宅、コンビニ、、スーパー、工場、病院等の施設に設置すれば経済的である。災害による被災地の簡易発電機とすることも可能であり、安全面で祭り等の仮設店舗などの照明に利用する事も考えられ、又、本発明の発電のシステムをさらに進化させることにより、船舶の動力、地域別小規模発電所の設置なども可能となり、エネルギー問題の緩和、原子力に頼らず二酸化炭素の大幅な削減につなげることができる。
【図面の簡単な説明】
【００１１】
【図１】  １  実施例を示した遠心力回転発電装置の「立面図」  ２  「平面断面図」
【図２】  １  配線図  ２  配線図
【図３】  １  実施例を示した回転補助装置の「詳細図」
【発明を実施するための形態】
【００１２】
【実施例１】
【００１３】［図１］１実施例を示した「側面図」２「平面の断面図」「図２」の配線図１、２に基づいて説明する。
１遠心力回転盤の中心に８芯棒を付け８心棒を軸に回転するように９ベアリングを付けて固定し１遠心力回転盤が抵抗なくスムーズに回転できるようにして、４モーターと１遠心力回転盤、また１遠心力回転盤と２発電モーターをそれぞれ６ブーリー７ベルト或いは歯車で連結して４モーターの回転で１遠心力回転盤と２発電モーターが同時に回転するように取り付け、３バッテリーを電源として４モーターを稼働、それに連結された１遠心力回転盤も同時に回転、また同時に２発電モーターも回転を始める。
【実施例２】
【００１４】［図２］１「配線図２」に基づいて説明する。
３バッテリーを電源として４モーターを稼働、１遠心力回転盤を通じて２発電モーターを回して発電した電気を５コンバーターを通して直流電気に変換してバッテリーに充電するとともに交流に変換して１０コンセントより外部へ通電する。
【実施例３】
【００１５】２「配線図」  に基づいて説明する。
バッテリー及び外部コンセントよりの電源を、１１切り替えスイッチを外部電源モーター間側に入れて４モーターを稼働、１遠心力回転盤を通じて２発電モーターを回して発電が始まる、１０切り替えスイッチを発電モーターモーター間側に切り替えることで、外部電源モーター間の通電を遮断し、発電モーターとモーター間の通電が始まりモーターは一時的に電気の供給を遮断されることになるが、１遠心力回転盤は回転力を弱めることなく惰力回転を続ける事で２発電モーターは変わることなく回転を続け、発電がそのまま持続することで発電モーターからの電気を電源として、引き続き４モーターを稼働することが出来る。
【実施例４】
【００１６】［図３］」  回転補助装置の「詳細図」に基づいて説明する。
１３重金属を筒の中をスライドできるように１６筒の中に収め、１３重金属の先端に１５ワイヤをつけて１５ワイヤのもう一方の端に１４スプリグを固定して、それぞれがスライイスしてスムーズに移動できるよう１８筒の中に収めて、１３重金属を１回転盤の芯より外周に向けて取り付け１５ワイヤ部分を外周に沿って置き、１３重金属が外周に向けて移動するとともに１５ワイヤも移動して１４スプリングを圧縮するようにしたものを１回転盤に複数均等に配置したもので、１回転盤が回転することにより１６筒の中の１３重金属が外周に向かって移動を始め１５ワイヤを押し上げて１４スプリングを圧縮、さらに１回転盤が勢いよく回転することで１４スプリングは限界まで圧縮され、１４スプリングの復元力と１４スプリングを限界まで圧縮してもなお１３重金属は円の外に飛び出そうとさらに１５ワイヤを押しつづけ、限界まで縮んだ１４スプリングをさらに押し続けることで、１回転盤の惰力回転によるトルクに上乗せしたトルクを得ることが出来る。
【産業上の利用可能性】
【００１７】  本考案を使用する事により、一切の燃料を使わず経済的に電気を供給する事ができ、一般住宅、コンビニ、、スーパー、工場、病院等の施設に設置すれば経済的である、何処でも設置可能であり、災害による被災地の簡易発電機とすることも出来、また安全面で祭り等の仮設店舗などの照明に利用する事もできる、又船舶の動力、潜水艦に用いれば二酸化炭素の排出が無いため原子力潜水艦なみに長期潜水が可能になる、さらに地域別小規模発電所の設置なども可能となり、エネルギー問題の緩和、原子力に頼らず二酸化炭素の大幅な削減につなげることができる。
【符号の説明】
【００１８】  １．遠心力回転盤                ２．発電モーター
３．バッテリー                  ４．モーター
５．コンバーター                ６．ブーリー
７．ベルト                      ８．心棒
９．ベアリング                １０．コンセント
１１．外部電源モーター間、発電モーターモーター間、切り替えスイッチ
１２．コンセントスイッチ        １３．円筒形押し上げ重金属
１４．スプリング                １５．ワイヤ
１６．重金属スライド筒          １７．ワイヤカバー
１８．スプリクグ収納筒          １９．外部プラグ
２０．インバーター
【手続補正２】
【補正対象書類名】特許請求の範囲
【補正対象項目名】全文
【補正方法】変更
【補正の内容】
【特許請求の範囲】
【請求項１】
円形状の外周を持ち、抵抗なく滑らかな回転が出来るように設置した回転盤と、モーター、発電モーター、バッテリーを有し、回転盤の外周部分に重金属などの重いものを用いて中心にそった部分、芯の部分を軽くすることで回転盤の遠心力の効果を高め、モーターの回転力で回転盤を勢いよく回転させる事で、モーターのトルクに加えて回転盤の遠心力との相乗効果により、発電モーターの発電時における回転の抵抗をクリアして発電モーターを力強く稼働させることを特徴とする、モーターの回転力と回転盤の遠心力を利用した遠心力発電装置。
【請求項２】
請求項１記載の、勢いよく回転する遠心力回転盤は、モーターの電源を一時的に切っても遠心力による惰力回転により回転の勢いを緩めることなく回転を続け、発電モーターもまわり続け発電し続けるためにバッテリー等外部よりの通電を、切り替えスイッチで瞬時に発電モーターからの通電に切り替えることで、発電モーターからの電気を電源としてモーターを稼働させ回転盤を回し続けて、発電モーターを稼働する遠心力発電装置。
【請求項３】
請求項１記載の、回転盤が勢いよく回転するにつれ円内に置かれた物が円外へ飛び出そうとする性質を利用して回転につなげる回転補助装置を回転盤に設置する事で、遠心力の回転により効果をもたらす、勢いよく回転するにともない円内に置かれた物体が円外へ飛び出そうと移動する力、圧縮の力をスプリングを通じて回転方向に向ける事で、モーターの回転力と遠心力回転盤の遠心力との相乗効果に加えて、回転補助装置による補助効果で発電モーターをさらに、効果的に回転させる遠心力発電装置。
【手続補正３】
【補正対象書類名】図面
【補正対象項目名】図１
【補正方法】追加
【補正の内容】
【図１】
2018078780.tif 000005
【手続補正４】
【補正対象書類名】図面
【補正対象項目名】図２
【補正方法】変更
【補正の内容】
【図２】
2018078780.tif 000006